Podtech/llm-jp-corpus-v4-ja_patent huggingface dataset:
(57)【要約】      （修正有）【課題】  立体パズルゲームのブロック自体は光の点灯等の変化がない、光の明るさ、色等の変化を加え楽しさを倍加すること。【解決手段】  ブロックケースの中に、発光ダイオード３色を設置し、外部の通電端子まで配線し、他のブロックと重ねると、電流が流れブロック全部が点灯するパズルゲーム機。  色を全て同色にしたり、段ごとに違えたり、考えながら重ねる立体パズルゲーム。  重ね組上げるだけの単純なパズルであるが、３色別々に配線する為にいろいろな回路が出来上がり、思った所に思った色を点灯させるというのは、非常に難しく、完成して全てのブロックが点灯すると感激は大きく楽しい立体頭脳パズルである。  光るオブジェとして、マイコン操作で点滅することもでき、部屋のアクセサリーとしても楽しい光ブロックパズルゲーム機である。【選択図】  図１
2006263409.tif 000002
【特許請求の範囲】
【請求項１】
ブロック状のクリアーな軟質系プラスチックのケースの中に、発光ダイオード３色を、破損を少なくするための衝撃吸収材で固定設置し、外部表面に取り付けた通電端子まで３色別々に配線する。他のブロックと重ねた時、お互いの通電端子が接触し、電流が流れることで、ブロック全部が点滅するパズルゲーム機。
色を全て同色にしたり、段ごとに違えたり、考えながら重ねる立体パズルゲーム。
重ね組上げるだけの単純なパズルであるが、３色別々に配線する為にいろいろな回路が出来上がり、思った所に思った色を点灯させるというのは、非常に難しく、完成して全てのブロックが点灯すると感激は大きく楽しい立体頭脳パズルである。
光るオブジェとして、マイコン操作で点滅することもでき、部屋のアクセサリーとしても楽しい光ブロックパズルゲーム機である。
【発明の詳細な説明】
【技術分野】
【０００１】  本発明品は、ゲームに関する。
【背景技術】
【０００２】  従来のゲームは、ゲームのブロックは光が点灯することがなかった。
ブロックを重ね、点灯させたりする立体的なパズルはない。
光の色を組み立てるパズルはない。
【発明の開示】
【発明が解決しようとする課題】
【０００３】  ゲームのブロック自体は点灯等の変化がない、このブロック自体に光の明るさ、色等の変化を加え楽しさを倍加すること。
ブロックを立体的に重ね組上げるパズルに光の色の変化を加えることにより、難しく、楽しく、感激することのできるパズルとすること。
【課題を解決するための手段】
【０００４】  ブロック状のクリアーな軟質系プラスチックのケースの中に、発光ダイオード３色を、破損を少なくするための衝撃吸収材で固定設置し、外部表面に取り付けた通電端子まで３色別々に配線する。他のブロックと重ねた時、お互いの通電端子が接触し、電流が流れることで、ブロック全部が点滅するパズルゲーム機。
色を全て同色にしたり、段ごとに違えたり、考えながら重ねる立体パズルゲーム。
重ね組上げるだけの単純なパズルであるが、３色別々に配線する為にいろいろな回路が出来上がり、思った所に思った色を点灯させるというのは、非常に難しく、完成して全てのブロックが点灯すると感激は大きく楽しい立体頭脳パズルである。
光るオブジェとして、マイコン操作で点滅することもでき、部屋のアクセサリーとしても楽しい光ブロックパズルゲーム機である。
上記のゲーム機を作ることにより解決する。
【発明の効果】
【０００５】  頭脳を活性化し、感激を与えるパズルゲームである。
作る人が、配色することもできデザインの楽しさも味わえる。
光るオブジェとして、マイコン操作で点滅することもでき、部屋のアクセサリーとしても楽しい光ブロックパズルゲーム機である。
【発明を実施するための最良の形態】
【０００６】  以下、本発明の実施の形態を図面に基づき詳細に説明する。【０００７】  図１〜図４は本発明の実施の形態に係り、図１は全体外観斜図、図２は架台外観斜図、図３ブロック外観斜図、図４はブロック断面図である。
ブロック断面図に示すように、衝撃を緩め、明かりを通す軟質形のクリアーなライトブロックケース１の内部に、３色の発光ダイオード５を、衝撃を緩めるための衝撃吸収材７で固定する。
発光ダイオード５からライトブロックケース１外部表面に取り付けた通電端子３まで配線６する。
スイッチは設けず、通電端子３で他のライトブロックケースの通電端子と接触することにより回路ができあがり、電源内蔵架台２より電流を受け点灯する。
また、ライトブロックケース１は電源内蔵架台２の支柱４に支柱開口６をはめることにより固定され、通電端子３の接続を安定させる。
【図面の簡単な説明】
【０００８】
【図１】  本発明の実施の形態に係る、光ブロックパズルゲームの全体外観斜視図である。
【図２】  本発明の実施の形態に係る、光ブロックパズルゲームの架台外観斜視図である。
【図３】  本発明の実施の形態に係る、光ブロックパズルゲームのブロック外観斜視図である。
【図４】  本発明の実施の形態に係る、光ブロックパズルゲームのブロック断面図である。
【符号の説明】
【０００９】  １  ライトブロックケース
２  電源内蔵架台
３  通電端子
４  支柱
５  発光ダイオード
６  配線
７  衝撃吸収材
８  支柱開口
【図１】
2006263409.tif 000003
【図２】
2006263409.tif 000004
【図３】
2006263409.tif 000005
【図４】
2006263409.tif 000006
(57)【要約】【課題】現在、市販されているマスクは、白色で病人というイメージが強く、特に若い人は、風邪やインフルエンザでも着用しない人が多い。そのため、学校や街中で菌が多く飛散しインフルエンザなどの流行を助長している。【解決手段】マスクに色や飾りをつけることでファッション性を持たせ、衣類やおしゃれな眼鏡をつけるようにマスクも着用できるようになる。【選択図】図１
2006263408.tif 000002
【特許請求の範囲】
【請求項１】
花粉症などの際に一般的に使用されているマスクや眼帯などの医療品に色や飾りなどのファッション性を持たせた、あるいは持たせるための製品。
【発明の詳細な説明】
【技術分野】
【０００１】本発明は、日常の花粉症などで使用されている白いマスクや眼帯などの医療品に関する。
【背景技術】
【０００２】従来のマスクは、ほぼすべてのものが白で作られており、ファッションを考えて作られたものはない。眼帯などにもファッションを取り入れたものはない。
【発明の開示】
【発明が解決しようとする課題】
【０００３】いままでのマスクは、人の眼につく外側はすべて白で作られており、どこか病人のイメージが強い。そのため、若い人は着用を嫌い、学校や施設、また街中でもせきをマスクなしでする人が多く、インフルエンザや風邪の流行を助長している。花粉症に関しても、人前でせきや鼻水を出すことに苦しむ人は多い。眼帯も好んでつけたいと思えるものはない。【０００４】本発明は、花粉症などが増えてきている今、おしゃれな眼鏡をかけるように、人前で気兼ねなくつけることができるマスク等の医療品を提供することを目的とするものである。
【課題を解決するための手段】
【０００５】そして、本発明は白い、通常花粉症などで着用するマスク等医療品の外側（人に見える部分）に色や布、飾りを付けることによって服とのバランスをもたせたものである。
【発明の効果】
【０００６】この発明により、特に若い人の間で避けているマスクを気兼ねなく着用していただき、インフルエンザや風邪の菌が広がるのを防ぐことができる。また、花粉症の人も症状を悪化させず、外出することができるようになる。病気の方の気持ちを和らげることができる。
【発明の実施するための最良の方法】
【０００７】以下、本発明の実施の形態を図１に基づいて説明する。
【０００８】図においては、１は市販のマスクで、色や飾りの付いたシート２、接着剤３である。
【０００９】色や飾りの付いたシート２のマスクに接着する側に接着剤３を周囲に塗布します。接着剤３は、色や飾りの付いたシート２全体に塗布すると空気が通過せずマスクの機能を果たしません。できるだけ周囲に少ない面積で塗布してください。製品としては、以上です。
【００１０】以下、上記構成の動作を説明する。
【００１１】図１で、色や飾りの付いたシート２のマスクに接着する側に接着剤３を周囲に塗布し、包装して販売します。製品の購入者は、今使用しているマスクまたは新しく購入したマスクの外側（人に見える部分）に接着します。接着後は、通常どうりマスクを着用します。
【００１２】また、マスク自体に色を付けたり飾りを取り付けたりする方法もあります。
【００１３】接着剤は、アイロンの熱で布と布を接着するものが一番良いと思われますが、マスクに取り付けできるもので安全なものなら問題ありません。また、布や飾りは殺菌処理が必要と考えます。
【図面の簡単な説明】
【００１４】
【図１】  本発明の実施形態を示すファッションマスクの全体図
【符号の説明】
【００１５】１    市販のマスク
２    色や飾りの付いたシート（空気を通すもの、または支障のない大きさのシート）
３    接着剤
【図１】
2006263408.tif 000003
(57)【要約】【課題】寝るだけで磁力により頭頂部の血行促進ができる磁気枕を提供する。【解決手段】磁気枕の位置側辺を頭部上まで立ち上げ、頭頂部にも磁気影響を及ぼすことにより頭頂部の血行促進ができるようにした磁気枕である。【選択図】  図１
2006263406.tif 000002
【特許請求の範囲】
【請求項１】
就寝者の頭部下に配置される枕下部と、枕下部の位置側辺から延設され頭部上に配置される枕立ち上げ部とより構成される枕本体と、枕本体の使用者頭頂部および後頭部に磁気影響を及ぼす位置に設けられた複数の磁石とより構成される磁気枕。
【請求項２】
就寝者の頭部下に配置される枕下部と、枕下部の位置側辺から延設され頭部上に配置される枕立ち上げ部とより構成される枕本体と、枕本体の使用者頭頂部および後頭部に磁気影響を及ぼす位置に設けられた磁石シートとより構成される磁気枕。
【発明の詳細な説明】
【技術分野】
【０００１】  本発明は、後頭部に加え頭頂部の血行を促進する磁気枕である。
【背景技術】
【０００２】  従来の磁気枕は後頭部のみ磁石の磁気により血行を促進するものであり、頭頂部までカバーするものはなかった。
【発明の開示】
【発明が解決しようとする課題】
【０００３】  そのために、次のような問題点があった。
従来の磁気枕は平面的な構造上磁気が届く範囲が後頭部のみと限られていた。それにより頭頂部には磁気が届かなかった。
本発明は以上の問題点を解決しようとするものである。
【課題を解決するための手段】
【０００４】  磁気枕の下部の位置側辺から延設し、頭部上に配置した部分に頭頂部に磁気影響を及ぼすように複数の磁石を配置する立ち上げ部分を設ける。
以上を特徴とする磁気枕である。
【発明の効果】
【０００５】  磁気枕の磁気部分を立ち上げたことにより、磁気が頭頂部の血行を促進する。頭頂部の育毛にも効果的である。
又請求項２にあるように磁石をシート状にすることにより部分的圧迫感が解消され、磁力を均一にあてることができる。
【発明を実施するための最良の形態】
【０００６】  以下、本実施形態を説明する。
（イ）図１のようにウレタン、スポンジ等でできた磁気枕下部の位置側辺を延設し、頭部      上に配置される立ち上げ部を設けた形状に枕を形成する。
（ロ）立ち上げた部内側面を頭頂部に沿うように緩やかに湾曲させその内部には頭頂部お      よび後頭部に磁気影響を及ぼすように複数の磁石を入れる。
（ハ）枕下部の磁石取り付けに関しては圧迫感、不快感がないよう枕表面に磁石と同口径      で磁石の高さと同じ穴を開け、表面に凹凸のがでないように取り付ける。又頭頂部      に接する部分の磁石取り付けに関しては、少しでも磁力の効果が出るよう表面に取      り付けるものとする。
（ニ）本体は図２に示すようにクッション材、磁石、カバーよりなり磁石はクッション材      とカバーの間に設けるものとする。
本発明は以上よりなっている。
本発明を使用するときは、出来るだけ磁石部分に近づくように寝ることにより磁気の影響で頭頂部分の血行促進の効果が得られる。【０００７】  その他の事例について説明する。
（イ）図５のようにウレタン、スポンジ等でできた磁気枕下部の位置側辺を延設し、頭部      上に配置される立ち上げ部を設けた形状に枕を形成する。
（ロ）立ち上げた部内側面を頭頂部に沿うように緩やかに湾曲させその内部には頭頂部お      よび後頭部に磁気影響を及ぼすようにシート状の磁石を入れる。
（ハ）本体は図６に示すようにクッション材、磁石、カバーよりなり磁石はクッション材      とカバーの間に設けるものとする。
【図面の簡単な説明】
【０００８】
【図１】本発明を示す図
【図２】本発明の断面を示す図
【図３】本発明の磁石取付穴の断面を示す図
【図４】本発明の使用状態を示す図
【図５】本発明のその他の事例を示す図
【図６】本発明のその他の事例の使用状態を示す図
【符号の説明】
【０００９】      １  枕下部
２  枕立ち上げ部
３  磁石
４  カバー
【図１】
2006263406.tif 000003
【図２】
2006263406.tif 000004
【図３】
2006263406.tif 000005
【図４】
2006263406.tif 000006
【図５】
2006263406.tif 000007
【図６】
2006263406.tif 000008
(57)【要約】      （修正有）【課題】ボタンを押すだけでカバンが自力走行するようにしたより便利な電動式旅行用カバンを提供する。【解決手段】動輪（４）は継手（１０）を介して電動モ−タ−（５）に接続されモ−タ−の回転により駆動され、電動モ−タ−（５）の発停はカバン上部の把手近くに設けられた、電気スイッチにより行なわれる。継手（１０）はカバンの落下、取り扱い時に車輪にかかる衝撃を吸収し電動モ−タ−や軸の損傷を防止する。【選択図】図２
2006263403.tif 000002
【特許請求の範囲】
【請求項１】
電動モ−タ−、車輪及び乾電池を下部に取り付ボタン操作で動くように考案した旅行カバン類（キャリ−ケ−ス、ス−ツケ−ス）
【発明の詳細な説明】
【技術分野】
【０００１】この発明は車輪、電動モ−タ−、乾電池（蓄電池）、及び電気スイッチを装備し、電動で動くようにした旅行カバンに関するものである。［背景技術］【０００２】従来、旅行カバン（キャリ−ケ−ス）は車輪を有するものの、手で引っ張っていた［発明が解決しようとする課題］【０００３】これはつぎのような問題点があった。旅行カバンは大形で且つ重量が重いにも関わらず、手で引っ張っていたが、持ち運び、移動時にはかなりの労力を要し非常に不便であった。本発明は以上のような欠点を解決するためになされたものである。［課題を解決するための手段］【０００４】カバンの底部の車輪に電動モ−タ−を接続し、乾電池又は蓄電池の電力でカバンが走行できるようにしたものである。［発明の効果］【０００５】押しボタンスイッチを押すだけで、カバンは自力で走行し、人力を軽減する事ができ、従来より持ち運びが便利になる。特に非力な女性、老人には効果的である。［発明を実施するための最良の形態］【０００６】以下、本発明の実施例について説明する。（イ）カバン（１）の下部にモ−タ−室（２）を作る、モ−タ−室（２）には電動モ−タ−（４）、前輪（７）一個、動輪（４）二個、軸受け箱（９）乾電池（蓄電池）（６）、車軸（１１）、モ−タ−軸（８）を取り付ける（ロ）前輪（７）はカバン底部板に直接取り付け、３６０度回転式とし電動モ−タ−とは接続しない自転式である。（ハ）動輪（４）は継手（１０）を介して電動モ−タ−（５）に接続されモ−タ−の回転により駆動される。（ニ）電動モ−タ−（５）の発停はカバン上部の把手近くに設けられた、電気スイッチ（３）により行なわれる。（ホ）継手（１０）はカバンの落下、取り扱い時に車輪にかかる衝撃を吸収し電動モ−タ−や軸の損傷を防止する。その構造は図のように、正回転時はモ−タ−軸（８）はストッパ−（１３）を押して動力を車軸（１１）に伝えるが、逆回転時はストッパ−を押上げてモ−タ−軸と車輪軸は夫々、空転する。従い、モ−タ−故障や乾電池が消耗した時はケ−スを逆方向に引っ張れば通常のケ−ス同様に引っ張り、車輪の回転が阻害される事はない。尚、ストッパ−は通常、板バネ（１２）で継手内に挿入維持される。（ヘ）夫々の電気装置は配線で接続される。
【図面の簡単な説明】
【０００７】
【図１】本発明の断面図である。
【図２】本発明のモ−タ−室（２）の断面図である。
【図３】本発明の継手（１０）の断面図である。
【符号の説明】
【０００８】  １  ケ−ス本体      ２  モ−タ−室      ３  電気スイッチ  ４  動輪            ５  モ−タ−        ６  乾電池  ７  前輪            ８  モ−タ−軸      ９  軸受箱１０  継手          １１  車軸          １２  板バネ１３  ストッパ−
【図１】
2006263403.tif 000003
【図２】
2006263403.tif 000004
【図３】
2006263403.tif 000005
(57)【要約】【課題】カキ、サザエ等複雑な形状の食材を網焼きする時に使う金網を提供する。【解決手段】針金を編んで作った平板状の金網を数センチメートル間隔で表曲げ、裏曲げを複数回交互に繰り返し曲げた事を特徴とする金網。【選択図】図１
2006263405.tif 000002
【特許請求の範囲】
【請求項１】
針金を編んで作った平板状の金網を数センチメートル間隔で表曲げ、裏曲げを複数回交互に繰り返し曲げた事を特徴とする金網。
【発明の詳細な説明】
【技術分野】
【０００１】  本発明はカキ、サザエ等複雑な形状の食材を網焼きするときに使う金網に関するものである。
【背景技術】
【０００２】  従来、バーベキューなどで食材を焼く金網としての単純な平板状の金網があった。
【発明の開示】
【発明が解決しようとする課題】
【０００３】  従来のバーベキューなどで使う金網は平面状であるため、普通の魚、肉等形状がフラットなものを焼くには裏返し両面を焼くことで十分その目的を達成することが出来た。
（イ）しかしながら、殻付きカキのような形状のバラツキが大きい２枚貝等を焼く場合には平板状の金網で焼くと口を開けた時、金網上でのすわりが不安定なため動いてしまい貝の旨味成分の入った汁がこぼれてしまうという問題があった。
（ロ）またサザエのような巻貝は平板状の金網に置いたのではフタの面を上にくるように安定に置くのが難しい。
本発明は以上の問題点を解決するためになされたものである。
【問題を解決するための手段】
【０００４】  針金を編んで作った平板状の金網を数センチメートル間隔で表曲げ、裏曲げを複数回交互に繰り返し曲げる。以上を特徴とする金網である。
【発明の効果】
【０００５】カキ、サザエ等の硬い殻に入った貝等を安定よく網の上に置けるので、貝の旨味成分の入った汁をこぼすことなく焼くことができる。またピーマンの丸焼きなど形状が複雑なものを焼く場合には焼く面を安定よく下にもってきて全体を均一に焼くことが出来る。
【発明を実施するための最良の形態】
【０００６】  以下、本発明の一実施例について説明する。
図２に従来の一般的な長方形の平板状金網（２）を示す。この従来の平板状金網（２）のＸ方向（２１）またはＹ方向（２２）のうち一方向、この場合はＹ方向（２２）を幅数センチメートル間隔でほぼ一定の角度９０度から１２０度くらいで、表曲げ（１１）、裏曲げ（１２）を交互に繰り返し曲げた構造とする、これを図１に示す。この時、曲げの間隔および曲げ角度は１枚の金網ですべて同じである必要はない。
（ロ）カキのような２枚貝は形状のバラツキが大きい。折り曲げ金網（１）の上に置く時貝の比較的フラットな方をフタ側の殻、これと反対側のへこみのある方を器側の殻とするとその接触面を水平に置くことが困難な形状のものがある。このようなカキを水平に置く為図３に示すように折り曲げ金網（１）のＹ方向（２２）にＸ方向（２１）の両端部叉は両端部と中央部にバーベキュー用の金串（３）を通して、カキの低い方を支えて水平に保ち安定化する。
（ハ）サザエのような巻貝は大きさのバラツキはあるがが、形状は比較的相似形である。従って図４に示すように金串（３）を使わなくても巻貝の巻き方向の角度をフタが上面にくるように置くとフタはほぼ水平になり、焼けてきて汁が沸騰してもこぼれることがない。図４はコンロ（６）に折り曲げ金網（１）をのせた状態である。
【図面の簡単な説明】
【０００７】
【図１】本発明の構造を示す斜視図
【図２】従来の平板状金網を示す斜視図
【図３】本発明の使用状況を示す斜視図
【図４】本発明の別の使用状況を示す斜視図
【符号の説明】
【０００８】    １    折り曲げ金網
１１  表曲げ部
１２  裏曲げ部
２    平板状金網
２１  Ｘ方向
２２  Ｙ方向
３    金串
４    カキ
５    サザエ
６    コンロ
【図１】
2006263405.tif 000003
【図２】
2006263405.tif 000004
【図３】
2006263405.tif 000005
【図４】
2006263405.tif 000006
(57)【要約】      （修正有）【課題】現在ペットボトルが普及し、小児の飲料水もペットボトルで飲ませることが多い。いちいち哺乳瓶に移し変え飲ませるよりも、乳首をペットボトル用に作れば乳首だけの消毒になるし、おしゃぶりと一体化にすれば場所も取らない。【解決手段】ペットボトルに乳首（おしゃぶり）を装着し、乳児や小児に飲ませる。遊んだ後、不機嫌になり突然泣き出したとき、この乳首があれば飲料水に装着して飲ますことができ、乳児や小児の不機嫌な時間が短縮される。主婦にとっても準備、後片付けが楽である。【選択図】図２
2006263410.tif 000002
【特許請求の範囲】
【請求項１】
ペットボトルのキャップに乳首を装着
【発明の詳細な説明】
【技術分野】
【０００１】この発明は小児にあったペットボトル飲料を飲みやすくしたもの
【背景技術】
【０００２】現在ペットボトルが普及し、小児の飲料水もペットボトルが多い
【発明の開示】
【発明が解決しようとする課題と手段】
【０００３】小児、乳児の泣く時間の短縮や主婦の準備、片付けなどを考えたら、ペットボトルに発明した乳首を装着することを提供する
【発明の効果】
【０００４】遊んだ後、不機嫌になり突然泣き出した時等、この乳首があれば飲料水に装着し乳児や小児に不機嫌時間の短縮が見られた
【図面の簡単な説明】
【０００５】
【図１】飲まないときはおしゃぶりとして使用する
【図２】ペットボトルのふたに発明の乳首を装着
【符号の説明】
【０００６】１ペットボトル対応型乳首の本体（真正面、横）
２ペットボトルへ乳首を装着
【図１】
2006263410.tif 000003
【図２】
2006263410.tif 000004
(57)【要約】【課題】夜間、暗闇において杖を使用する場合に認識することが困難であった。また、足元が暗く転倒の危険性があった。杖が認識できて足元および周囲を明るくできる便利な照明器具を設けた杖収納スタンドを提供する。【解決手段】杖収納スタンド（１）の支持部（２）に照明器具（３）を設ける。照明器具の明かりにより、杖と床面および周囲の認識ができる。【選択図】  図１
2006263421.tif 000002
【特許請求の範囲】
【請求項１】
杖収納スタンドに照明器具を付ける、または照明器具を内蔵することにより、暗い場所において床面および周囲を明るくできるようにした杖収納スタンド。
【請求項２】
杖収納スタンドに蛍光塗料および反射鏡などの光を発するものを使用した杖収納スタンド。
【発明の詳細な説明】
【技術分野】
【０００１】この発明は、杖収納スタンドに照明器具を設けた杖収納スタンドに関するものである。
【背景技術】
【０００２】従来、杖収納スタンドに照明器具がなかった。
【発明の開示】
【発明が解決しようとする課題】
【０００３】これはつぎのような問題点があった。夜間、暗闇において杖を使用するときに、暗くて杖を認識することができなかた。また、足元が暗くて転倒の危険性があった。本発明は、以上のような欠点をなくすためになされたものである。
【課題を解決するための手段】
【０００４】杖収納スタンドに照明器具を付ける。以上の構成よりなる照明器具を設けた杖収納スタンドである。
【発明の効果】
【０００５】杖収納スタンドに照明器具が付いているので、夜間、暗闇において杖を使用する場合に簡単に認識ができる。また、床面および周囲が明るくなるために転倒の危険性か少なくなる。
【発明を実施するための最良の形態】
【０００６】杖収納スタンドの支持部または支柱に照明器具を付ける。照明の明かりが床面および周囲に当たるようにする。
【実施例】
【０００７】杖収納スタンド（１）の支持部（２）に照明器具（３）を設ける。
【産業上の利用可能性】
【０００８】本発明は、以上のような構造で杖を夜間、使用する場合に認識することができ、また足元も明るくなるために転倒の危険性が少なくなるために、高齢者施設や杖を保持している世帯での利用可能性がある。
【図面の簡単な説明】
【０００９】
【図１】本発明を示した平面図である。
【符号の説明】
【００１０】  １  杖収納スタンド
２  支持部
３  照明器具
４  杖
５  基盤
６  支柱
【図１】
2006263421.tif 000003
(57)【要約】【課題】スーツケースの胴体にベルトを掛けたとき、きつく締まりすぎて弛められないという不便さを解消するためのベルトを提供する。【解決手段】矩形状のつなぎ環１３でつながれたベルトの一方の先端に矩形状の締め付け環Ａ１１ａ，締め付け環Ｂ１２を設け、もう一方のベルトの中間部に矩形状の二つの長孔を形成し日型となる長さ調節環１４を儲けた旅行鞄の締結用ベルトにおいて、前記２個の締め付け環を上下に重ね、締結用ベルトの先端をこれらの締め付け環の下から通し、さらにそのベルト先端を前記２個の締付け環の間に通してベルトを締付けた時、締まりすぎても締め付け環１１ａの枠幅を広くすることにより、手の指で引っ掛け易くなり締結用ベルトを容易に弛めることができる。【選択図】図１
2006263427.tif 000002
【特許請求の範囲】
【請求項１】
矩形状のつなぎ環でつながれた二つのベルトの一方の先端に矩形状の２個の締め付け環を設け、もう一方のベルトの中間部に矩形状の２つの長孔を形成し日型となる長さ調節環を儲けた旅行鞄の締結用ベルトにおいて、前記２個の締め付け環を上下に重ね、締結用ベルトの先端をこれらの締め付け環の下から通し、さらにそのベルト先端を前記２個の締付け環の間に通した時にベルトの表面に当接し締付ける効果のある前記締め付け環の１辺のみを手の指で操作が容易になるよう明らかに幅広くした鞄の締結用ベルト。
【発明の詳細な説明】
【技術分野】
【０００１】この発明は旅行用のスーツケース等を締結するベルトに関する。
【背景技術】
【０００２】この種の鞄の締結用ベルトは、一般に３箇所に矩形状の環が設けられていて呼名はそれぞれメーカーにより異なるが、締め付け環、つなぎ環、長さ調節環である。これらの環は主に金属もしくは樹脂で製作されている。それぞれの環の位置としては、つなぎ環でつながれたベルトの一方の先端に２個の締め付け環を設け、もう一方のベルトの中間部には２つの長孔を形成し日型となる、長さ調節環を設けて旅行鞄の締結用ベルトとしている。【０００３】このようなベルトを使用する時はベルトを一本線に広げスーツケースなどをそのベルトの上に交差するように真ん中に置き  ベルトの先端に儲けられた２個の締め付け環にベルトのもう一方の先端を差込み更にその先端を前記２個の締め付け環の中間に差込み、そのままその先端を最後まで引っ張って利用する。
【発明の開示】
【発明が解決しようとする課題】
【０００４】こうしたベルトをスーツケース等の胴に巻きつけ締結したとき、締まり過ぎて容易に弛めることができないようになることがあった。
その場合は一方の手で締め付け環を持ち上げぎみにし、ベルトとスーツケースなどの表面とに間隔を作り、他方の手でベルトを弛めるというように両手でしかも力を入れる必要があった。【０００５】この発明は、以上のような事情に鑑みてなされたものであり、ベルトが締まり過ぎても片手で容易に弛める事ができるベルトを提供することを目的とする。
【課題を解決するための手段】
【０００６】請求項１に係る発明は、矩形状のつなぎ環でつながれたベルトの一方の先端に矩形状の２個の締め付け環を設け、もう一方のベルトの中間部に矩形状の２つの長孔を形成し日型となる長さ調節環を儲けた旅行鞄の締結用ベルトにおいて、  前記２個の締め付け環を上下に重ね、締結用ベルトの先端をこれらの締め付け環の下から通し、さらにそのベルト先端を前記２個の締付け環の間に通した時にベルトの表面に当接し締付ける効果のある前記締め付け環の１辺のみを手の指で操作が容易に可能になるよう幅広くしたことを特徴とする。
【発明の効果】
【０００７】請求項１に係る発明の鞄の締結用ベルトにおいては締め付け環の矩形の４辺のうちベルトの幅に接し且つベルトの表面に接する１辺の幅を指がひっかかり易い程度に広くしているので、ベルトが２個の締め付け環の間できつく締まり過ぎても容易にゆるめることができる。
【発明を実施するための最良の形態】
【０００８】以下、この発明の最良の実施形態について図面を参照しながら説明する。
図１はこの発明の実施形態の１例を示し、全体図である。図２は締め付け環が設けられている部分の立体図である。図３は従来の締め付け環の立体図である。【０００９】この鞄の締結用ベルトは締め付け環Ａ１１ａ、締め付け環Ｂ１２を一端に設けている連結用ベルト１５とこの連結ベルトのもう一方の一端につなぎ環１３でつながれた長さ調節するためのベルト本体１６とで構成されている。【００１０】ベルト本体１６の一端は長さ調節環１４の日型の中央線に固定されている。ベルト本体のもう一方の一端は、連結用ベルト１５の一端に設けられたつなぎ環１３に通し、さらにもどって長さ調節環１４の日型の２つの口に通して鞄の締結用ベルトを構成している。【００１１】この鞄の締結用ベルト使用する時は図１のように、長さ調節環１４の２つの口に通されたベルトの先端を  締め付け環１１ａ、１２に通し更にもどって締め付け環１１ａに通して締結する。【００１２】締結した後、弛める時は締め付け環１１ａを持って、ベルトを戻して抜くようにしなければならず、きつくしばった時は弛めるのに苦労することが多かった。【００１３】しかし本発明の鞄の締結用ベルトは締め付け環１１ａが指が引っかかり易い程度に幅広くなっており、きつく締まっても締め付け環１１ａを引っ掛け上げるようにすれば容易に弛めることが可能である。従来の締め付け環は図３の１１ｂ、１２のように２つの環が同一で四辺が同じ幅でしかも指のつめくらいしか掛けられない幅しかなかった。
【図面の簡単な説明】
【００１４】
【図１】  この発明の実施形態の１例を示す鞄の締結用ベルトの全体図である
【図２】  図１に示した鞄の締結用ベルトの締め付け環を取り付けた部分の拡大立体図である。
【図３】  図１に示した鞄の締結用ベルトの従来の実施例の締め付け環の拡大立体図である。
【符号の説明】
【００１５】１１ａ、  締め付け環Ａ
１１ｂ、  締め付け環Ａ
１２、    締め付け環Ｂ
１３、    つなぎ環
１４、    長さ調節環
１５、    連結用ベルト
１６、    ベルト本体
【図１】
2006263427.tif 000003
【図２】
2006263427.tif 000004
【図３】
2006263427.tif 000005
(57)【要約】【課題】  従来のたるみ防止方法は、時間的、経済的に大きな負担があり継続が困難であった。その他のたるみ防止具においても、装着が難しいことと口や鼻の周りを覆うことで口の開閉や呼吸に違和感が生じていた。長時間は難しかった。鼻の横のたるみ防止には効果が期待できなかった。【解決手段】  安価に購入できることにより家庭で好きな時に簡単に継続する事ができる。口や鼻の周りの覆う部分を最小限にすることで違和感をなくした。寝る時の装着に向いているので長時間の装着が容易である。鼻の横から素材（１）を密着させて引っ張ることにより、鼻の横にできたたるみやしわの防止改善が期待できるようになった。【選択図】    図１
2006263424.tif 000002
【特許請求の範囲】
【請求項１】
鼻の横から頬の下に接する素材（１）に（１）をひっぱり固定する（２）を接続し、（２）の端で（１）の反対側に止め具（３）を設けたたるみ防止マスク。
【発明の詳細な説明】
【技術分野】
【０００１】  この発明は、鼻の横から顎の横にかけての肉を覆う、密着性があり適度な重量のある素材（１）と、その素材と覆った肉をひっぱり固定する布製の部分（２）と、ひっぱる力を調節し固定する留め具（３）からなるたるみ防止マスクに関するものである。
【背景技術】
【０００２】  世間に出回っている、エステティックサロンでの技術。【０００３】  サウナ効果のあるマスク。【０００４】  その他たるみ防止マスク。
【発明の開示】
【発明が解決しようとする課題】  今までのたるみ防止の技術は次のような欠点があった。【０００５】  顔の前の方や鼻の横にたるんだ肉や皮膚に対しての後方へ引っ張り固定する技術が今までは不十分であった。【０００６】  エステティックサロンに通うのは高額なお金がかかる上、時間の制限があり持続が困難だった。【０００７】  従来のものは、長時間装着するには口の開閉や又は、鼻の穴の付近が狭くなり息苦しくなっていたか違和感があった。【０００８】  装着が面倒であった。【０００９】  片手での装着が困難であった。【００１０】  頭髪や肌への負担が大きかった。【００１１】  たるんだ肉や皮膚の移動先が使用者の希望通りにならなかった。
本発明は、以上のような欠点をなくすために考えたものである。
【課題を解決するための手段】
【００１２】  鼻の横から頬の下に接する素材（１）に、（１）をひっぱり固定する（２）を接続し、（２）の端で（１）の反対側に止め具（３）を設けたたるみ防止マスク。
【発明の効果】
【００１３】  安価に購入でき家庭に持ち込めることにより、寝ている時間や好きな時に装着できるため、容易に継続できる。【００１４】  口や鼻の周りにかかる素材（４）の量は最小限にすることにより、口の開閉や呼吸の妨げにならないようにし、違和感をなくした。【００１５】  顔の上に置き、留め具を留めるだけで簡単である。【００１６】  留具の片方の形状をＴ字にすることにより、離脱せず片手でも簡単に調節して装着することが可能である。留め具が離脱しない事により暗い所でも留められる。【００１７】  （１）の肌への密着性があるものと（２）を布製にして別の素材にすることにより、密着性の必要のない部分の肌や頭髪などへの負担や引っ掛かりをなくした。【００１８】  留め具の位置やひっぱる力を使用者が変えることにより、たるんだ肉や皮膚の移動位置を希望の場所に変えて固定することができる。【００１９】  たるみやしわの原因になる肉を上方向だけでなく、仰向けになって寝ると素材（１）の適度な重さで後方にもひっぱることができることにより、鼻の横や口元の前方向にたるんだ肉やしわに対しても効果が期待できる。
本発明は、以上のような改善で鼻の横から顎の横にかけての肉のたるみやしわを、密着性があり適度な重さのある素材で覆い、上や後方へひっぱり固定することにより、肉のたるみやしわを防止または改善する。
【発明を実施するための最良の形態】
【００２０】  肌に密着するもので適度な重さのある素材（１）を、布製の（２）と接続し、（２）の端に留め具（３）をつける。（１）が肌から離脱しないように（４）で支える。
本発明は、以上のような構造で、寝ている時や好きな時に顔の上に置き、留め具を適度にひっぱり留めればよい。
【図面の簡単な説明】
【００２１】
【図１】  本発明の斜視図
【図２】  装着時の斜視図
【図３】  留め具の斜視図
【符号の説明】
（１）肌に密着性があり、適度な重さの素材
（２）布
（３）留め具
（４）２つの（１）を離脱しないようにつなげて支えるもの。
【図１】
2006263424.tif 000003
【図２】
2006263424.tif 000004
【図３】
2006263424.tif 000005
(57)【要約】【課題】  従来の伸縮包帯の形状は、巻くのに時間がかかりやすく、特に、長さを切って、結ばなければならず、時間がかかった。【解決手段】  あらかじめ、指の一巻き分や腕の一巻き分等に裁断した伸縮包帯の両端にマジックテープを設ける。中央にガーゼを設けるのも良い。この伸縮包帯に淡い色彩や濃い色彩を施すのも良い。保存方法としては、マジックテープをくっつけながら伸縮包帯を巻いてあるので、保存するのに便利で場所をとらない。そして、使用する場合は、くっつけたマジックテープをそれぞれ剥ぎ取り、指にや腕に巻きマジックテープをくっつけると良い。【選択図】図１
2006263422.tif 000002
【特許請求の範囲】
【請求項１】
指や腕等の一巻き分の長さの伸縮包帯の両端に、マジックテープを設けたことを特徴とする伸縮包帯。幅や長さは、指用、腕用などの一巻き分になっているので、包帯を巻くのが簡単であること、包帯の必要量が少量ですみ、切る事と結ぶ事を省いたことを特徴とする。
【請求項２】
指用、腕用などの一巻き分の中央にガーゼを設けたことを特徴とする請求項１記載のマジックテープ付き伸縮包帯。
【請求項３】
淡い色彩又は濃い原色を施したことを特徴とする請求項１記載のマジックテープ付き伸縮包帯。色彩がついているので小さい子供は治療を怖がらずに喜び、若者は新しい感覚で使用すると予想される。
【請求項４】
裁断した伸縮包帯の両端のマジックテープを次々にくっつけて普通の包帯のように巻き取る方法で保存することを特徴とする請求項一のマジックテープ付き伸縮包帯である。
【発明の詳細な説明】
【技術分野】
【０００１】  この発明は、傷の治療に用いる医療用や家庭用の伸縮包帯に関する。
【背景技術】
【０００２】  従来の傷の治療に用いる伸縮包帯の形状は、長くて白色のものである。
【発明の開示】
【発明が解決しようとする課題】
【０００３】しかしながら、以上の技術によれば、巻くことに手間がかかりやすく、特に切ってから結ばなくてはならず、時間がかかっていた。
そこで、この発明は、巻きやすくて、切る手間と結ぶ手間と時間を省いた伸縮包帯を提供することを課題とする。
【課題を解決するための手段】
【０００４】  以上の課題を解決するために、第一発明は、指用や腕用等に一巻き分に切ってあり両端にマジックテープを設けたことを特徴とする伸縮包帯である。
また、第二発明は、中央にガーゼを設け、両端にマジックテープを設けたことを特徴とする伸縮包帯である。
また、第三発明は、第一発明や第に発明のものに、淡い色彩または濃い原色を施したことを特徴とする伸縮包帯である。
また、第四発明は、裁断した伸縮包帯の両端のマジックテープを次々にくっつけて巻き取る保存の方法である。
【発明の効果】
【０００５】  第一発明、または第二発明によれば、指や腕等の一巻き分の伸縮包帯の両端にマジックテープを設けたので、巻きやすく、必要量が少なくてすみ、切ることや結ぶ手間も省けるので時間が短縮される。
第三発明によれば、マジック伸縮包帯に淡い色彩や濃い色彩を施すことにより、幼児が伸縮包帯を怖がらずに喜んで治療を受ける。また若者は新しい感覚で伸縮包帯を使用する。
第四発明によれば、マジックテープをくっつけながら伸縮包帯を巻いてあるので、保存するのに便利で場所をとらない。そして、使用する場合は、くっつけたマジックテープをそれぞれ剥ぎ取り、指にや腕に巻きマジックテープをくっつけると良い。
【発明を実施するための最良の形態】
【０００６】  この発明の一実施形態を、図１に示す。
伸縮包帯の本体１は伸縮性の包帯であり、この本体１の両端には、マジックテープ２が一体的に設けられている。この本体１の幅は指用腕用等により、長さは一巻き分にあらかじめ切ってあり、両端にはマジックテープ２が設けられている。【０００７】「実施形態の効果」
この実施形態によれば、マジックテープの働きで、結ぶ必要が無くなり、時間短縮になる。したがって、あらかじめ長さを一巻き分に切ってあるので、切る手間がいらないし、巻く手間も最小限である。  保存方法としては、マジックテープをくっつけながら伸縮包帯を巻いてあるので、保存するのに便利で場所をとらない。そして、使用する場合は、くっつけたマジックテープをそれぞれ剥ぎ取り、指にや腕に巻きマジックテープをくっつけると良い。【０００８】「他の実施形態」
図１の実施形態では、指の一巻き分や腕の糸巻き分の伸縮包帯の両端にマジックテープを設けたものであったが、他の実施形態では、中央にガーゼを設けたものも良い。また、淡い色彩または濃い原色を施すのも良い。
【産業上の利用可能性】
【図面の簡単な説明】
【０００９】
【図１】この発明の一実施形態を示す斜視図である。
【図２】中央にガーゼを設けた形態を示す斜視図である。
【図３】この発明のマジックテープを保存する場合の巻き方の上面図である。
【符号の説明】
【００１０】１  伸縮包帯の本体            ２  マジックテープ
３  ガーゼ
【図１】
2006263422.tif 000003
【図２】
2006263422.tif 000004
【図３】
2006263422.tif 000005
(57)【要約】【課題】トイレやその他の個室等には、小物を設置するための棚が設置されていないことが多々あります。一方で、公共のトイレ等では、棚を設置することにより、忘れ物の増加が懸念されるため、あえて棚を設置していません。【解決手段】トイレやその他個室等から退室するために扉を開けるためには、折り畳む必要のある構造の棚を設置することにより、小物を置く場所を確保すると共に忘れ物を減らすことができます。【選択図】  図１
2006263439.tif 000002
【特許請求の範囲】
【請求項１】
棚の上の置いた、又は、掛け棒に掛けた小物等を取り除き折り畳まないと、トイレやその他個室等の扉を開けることが出来ない折り畳み式棚。
【請求項２】
トイレやその他個室等の内側から施錠する鍵の代わりとなる請求項１の棚
【請求項３】
可動部に弾性材料を使用し、棚の上の置いた又は掛け棒に掛けた小物等を取り除くと、自動的に折り畳まれる請求項１の棚
【発明の詳細な説明】
【技術分野】
【０００１】本発明は、トイレやその他個室等に設置する小物等を置くための棚に関する。
【背景技術】
【０００２】従来トイレやその他個室等に整備されている小物等を置くための棚は、壁に固定されたもの、床の上に設置されたもの等が多く、利用者が退室時に小物等置き忘れる可能性が高い。
【発明の開示】
【発明が解決しようとする課題】
【０００３】近年は携帯電話の普及により、トイレやその他個室等の利用者は、ポケットから取り出した携帯電話の置き場所を求めている。しかしながら、トイレやその他個室等の管理者は、忘れ物を防止するため、あえて棚を設置していない。【０００４】本発明は、このような不便さを解決するためのものであり、トイレやその他個室等に、小物等を置き忘れにくい棚を設置することにある。
【問題を解決するための手段】
【０００５】上記の目的を達成する棚は、トイレやその他個室から退室するために出入口の扉を開けるためには、棚の上の小物等を撤去し棚を折りたたむ必要があることが特徴である。
【発明の効果】
【０００６】以上説明したように、本発明によれば、トイレやその他個室内において、携帯電話や財布等の小物を置く棚が確保でき、利用者の快適性が向上する。
【０００７】また、トイレやその他個室の管理者は、置き忘れられた小物等の処理が不要となり、管理が容易となる。
【発明を実施するための最良の形態】
【０００８】この発明の実施形態を図１に示す。
棚１およびその下面の掛け棒２は、可動部３により棚受４と一体となっている。棚受４は壁面５に固定されている。小物等を棚１に置く、もしくは掛け棒２に掛けるためには、室内側に開く扉６を閉めた状態で、棚１および掛け棒２を水平にした状態にする。
退室するために扉６を手前に開くためには、棚１及び掛け棒２を折り畳む必要があり、棚１および掛け棒２から小物等を取り除く必要がある。
【他の実施形態】
【０００９】扉が室外側に開く場合には、棚受４を、扉側に設置することにより、扉が室内側に開く場合と同様の効果を得ることができる。
【００１０】扉が横にスライドする場合には、図３のように、とめ具８及び掛かり９を追加することにより、扉が室内側に開く場合と同様の効果を得ることができる。
【００１１】室内側から施錠する鍵を省略し、この棚を鍵の代用とすることも可能である。
【実施形態の効果】
【００１２】この形態によれば、棚１及び掛け棒２から小物を取り除き、棚１及び掛け棒２を折り畳まない限り、扉６を開くことができない。よって扉６を開く直前に棚１及び掛け棒２から小物を取り除くこととなるため、利用者が小物等を置き忘れる可能性を非常に低くすることができる。
【図面の簡単な説明】
【図１】本発明の実施の形態に係る折り畳み式棚の外観斜視図である。
【図２】棚を水平にした状態及び折り畳んだ状態を示した外観斜視図である。
【図３】スライド式の扉に設置する場合を示した正面図である。
【符号の説明】
【００１３】１棚  ２掛け棒  ３可動部  ４棚受  ５壁  ６内開き又は外開き扉  ７スライド扉  ８とめ具  ９掛かり
【図１】
2006263439.tif 000003
【図２】
2006263439.tif 000004
【図３】
2006263439.tif 000005
(57)【要約】      （修正有）【課題】地震災害時に子供の命を守る為、平常使用している座布団が瞬時に頭部を守るヘルメット状態に変わり、避難場所での暖を取る座布団として利用できる。【解決手段】座布団カバーの中は低反発ウレタンを使用してショックの度合いを和らげ、その上低反発ウレタンに内臓のＫレジン板によってより一層の頭部保護充実させる。また、座布団の耳の部分によって小さい子供の肩先を守るようになっている。【選択図】なし【特許請求の範囲】
【請求項１】
平常は座布団として使用し、地震災害時には瞬時に頭部防護ヘルメット状態に変える事ができ、避難場所での座布団として使用できる防災具。
【発明の詳細な説明】
【技術分野】
【０００１】  本発明は、座布団を瞬時に頭部防護ヘルメット状態に変える事ができる。
［従来の技術］【０００２】  従来、防空頭巾の様に頭部を覆うだけであったが、それ以上に強度の物をもって頭部を守る開発が出来ていない。
［発明が解決しようとする課題］【０００３】  子供の命を守る為、平常使用している座布団をもって瞬時に子供の頭部を災害から守る。
［課題を解決するための手段］【０００４】  子供の手によってひもを引くだけで、瞬時に座布団が頭部を守るヘルメット状態に変わり、難を逃れた後は元に戻して避難場所での暖を取る座布団として利用。
［発明の効果］【０００５】  上述したように、小さな子供の手によって、身近にある座布団で瞬時に自分自身の身を守る事が出来る。【０００６】  本発明の特徴は、座布団がヘルメット状態になった時点で、座布団の中に内蔵したＫレジン板と低反発ウレタンによって衝撃を和らげ、頭部を保護する役目を果たす。【０００７】  本発明は地震災害時に
１．頭部を守る
２．座布団として利用
本発明は地震災害から子供を守る為に必要な発明提案である。
［発明の実施するための最良の形態］【０００８】以下、本発明の実施の形態を写真（１）〜写真（９）に基づいて説明する。
写真（１）丸座布団の裏面。顎ひもが付いている。顎ひもで首が絞まった時、すぐに外れ          る解除器具を付けている。（左側ひもの中央の白い部分）
写真（２）平常は丸座布団として座る面。
写真（３）座布団の中は低反発ウレタンに図の型のＫレジン板をはさむ。
これにより、強度を高めることができる。
写真（４）Ｋレジン板の入っていない所は、肩を守る為の部分になる。
写真（５）装着後、斜め上から。
写真（６）装着後、真横から。後ろに出た耳で肩を守る。
写真（７）装着後、真後ろから。中のＫレジン板で後頭部を守る。
写真（８）装着後、真上から。中のＫレジン板で頭部を守る。
写真（９）装着後、顎止め。白の引きひもを引くことにより、座布団を頭部に固定する事          が出来る。（大小サイズ調節可能）
［写真の簡単な説明］【０００９】写真（１）丸座布団の裏面
写真（２）丸座布団の表面
写真（３）丸座布団の中に入れるＫレジン板の図面
写真（４）丸座布団の切れ面
写真（５）装着後、斜め上からの面
写真（６）装着後、真横からの面
写真（７）装着後、真後ろからの面
写真（８）装着後、真上からの面
写真（９）装着後、顎止めの形
(57)【要約】【課題】  従来の浴用タオル、特に販売促進用タオルは、薄手、小さめのものが多く、家庭でのタオルとしての利用価値が低かった。そのため、使い捨て同様に扱われたり、使用されることなく家庭で保管されたりすることも多く、これでは、販売促進、及びサービスの意義さえなくしつつある。うすでのタオルは、フキン、オシボリ等の利用に最適であるが、切り離すとほつれ、縫うのは手間である。【解決手段】本発明に係る分離可能なタオルは、あらかじめパイル４を形成しない部分の適宜位置において、幅方向に平行に近接する２本のステッチ２、２を施しておき、このステッチ２、２間を切断部３とすることを特徴とするものである。【選択図】  図１
2006263412.tif 000002
【特許請求の範囲】
【請求項１】
あらかじめパイルを形成しない部分の適宜位置において、幅方向に平行し近接する２本のステッチを施しておき、このステッチ間を切断部とすることで分離可能にしたタオル。
【発明の詳細な説明】
【技術分野】
【０００１】  一般に使用されているタオルを切断して分離することに関する。
【背景技術】
【０００２】  従来のタオルは、連続したパイル織布である。【０００３】  一般に布は、裁断したままではほつれるが、タオルはパイル（ループ）を形成する経糸を持つため、裁断等した場合ほつれやすい。【０００４】  四周辺にほつれ止めを施した布地を縦方向に数多縦糸のみで接続し、裁断可能とするものがある。（特許文献１参照）【０００５】
【特許文献１】  特開昭６２−２８４３９号公報
【発明の開示】
【発明が解決しようとする課題】
【０００６】  従来のタオル、特に販売促進用タオルは、薄手、小さめのものが多く、家庭でのタオルとしての利用価値が低かった。そのため、使い捨て同様に扱われたり、使用されることなく家庭で保管されたりすることも多い。これでは、販売促進およびサービスの意義さえなくしつつある。薄手のタオルはフキン、オシボリ等の利用に最適であるが、切り離すとほつれ、縫うのは手間である。【０００７】  また、販促用以外のタオルでも、使用を重ね汚れが目立ってきても、他に用途が見出せないために、そのまま継続して使用される場合が多い。【０００８】  不要なタオルは雑巾としての利用が考えられるが、一般家庭ではそうたくさんの雑巾は必要としない。【０００９】  つまり、他に用途を見出せないまま保管されていたり、適切に使用されずにあるタオルは、一般家庭で多い。【００１０】  しかし、これらの問題を解決するために、タオル本来の強度、特性を損なうことは適切でない。【００１１】  本発明は、このような従来のタオルの問題点を解決して、簡単に切断できる、分離可能なタオルを提供するものである。
【課題を解決するための手段】
【００１２】  本発明に係る分離可能なタオルは、あらかじめパイルを形成しない部分の適宜位置において、幅方向に平行し近接する２本のステッチを施しておき、このステッチ間を切断部とすることを特徴とするものである。
【発明の効果】
【００１３】  本発明により、タオルは容易に分離可能となるが、タオル本来の強度を損なうことが無い。【００１４】  タオルをハサミで切り離すだけで、フキン、オシボリ等としての再利用が可能になる。【００１５】  さらに、分離可能な部分を折れ線として使用した場合、タオルの使い勝手もよくなる。【００１６】  特に、タオルとしての利用価値が低かった販促用タオルは、簡単に分離可能にすることで、利用者に第二の利用法（再利用法）を提案でき、利用価値をあげることができる。
利用者に、より便利な利用法の提案を付加できることで、サービスの向上にもつながり、販売促進としての価値もあげられる。【００１７】  また、この発明は、タオル地を織り上げる際、新たな折り目パターンを必要としないため、従来のものとの製造にかかる費用の差は最小限に止められる。【００１８】  このようにしてタオルに第二の利用法を提案することで、家庭内でのタオルの回転が早くなり、タオル全体としての需要を増すことができる。
【発明を実施するための最良の形態】
【００１９】  以下、本発明の実施の形態を図１〜２に基づいて説明する。【００２０】  浴用タオル１の中心線に、幅３５ｍｍ程度、パイル４形成のない部分を作り織る。ここは、５ｍｍ平織り６、１０ｍｍ綾織り７、５ｍｍ平織り６、１０ｍｍ綾織り７、５ｍｍ平織り６とする。２本の平行する綾織り７の内側辺８に合わせて、２本のステッチ２、２（裁ち目かがり、縁かがりの縫い方が最適）を施す。【００２１】  こうすることで、平行する２本のステッチ２、２の間を切断部３として、ここをハサミ等で裁断した場合、ステッチ２より先はほつれることがない。【００２２】  またこの中心部は、パイル４を形成していないだけで、緯糸、経糸ともに削除されることはない。従って、タオル１としての強度を損なうことが無い。【００２３】  さらに、中心部にパイル４による厚みの無い部分を設けることで、二つ折りにした場合、タオル１の中心がずれにくいため扱いやすい。【００２４】  またこれらの方法は、さらに大きいサイズのタオルにも応用できる。
【図面の簡単な説明】
【００２５】
【図１】本発明に係る分離可能なタオルを示す平面図。
【図２】同じく、切断部付近の拡大図である。
【符号の説明】
【００２６】１    タオル
２    ステッチ
３    切断部
４    パイル
５    折り返し部分
６    平織り
７    綾織り
８    内側辺
【図１】
2006263412.tif 000003
【図２】
2006263412.tif 000004